(57)【要約】【課題】  メンテナンスなどに際して、軸から回転体を容易に分解することができる回転体固定装置を提供する。【解決手段】  回転体固定装置のくさび結合手段３を、軸４と回転体５の間に介設される中間回転体７の内輪７Ａと外輪７Ｂとの嵌合面７ａであるテーパ面２ａ，２ｂに設け、締付ボルト６を内輪７Ａに設けている軸線Ｃに直交する壁１０の透孔１０ａを通して軸４に形成された一つのねじ孔９に螺合する。この締付ボルト６には、その軸部６ａにドーナツ状の干渉体１１を溶接によって取付ける。メンテナンスなどに際して、締付ボルト６をねじ解き方向に回転させて後退させるのに伴って、干渉体１１を内輪７Ａの壁１０の内面に干渉させて、内輪７Ａをくさび結合手段３のくさび結合を解除する方向に移動させることによって、軸４から回転体５を分解する。【選択図】        図１
2006207692.tif 000002
【特許請求の範囲】
【請求項１】
内外回転体のテーパ面同士をくさび結合させたくさび結合手段を介して、軸と回転体を締結するとともに、前記くさび結合手段のくさび結合力が締付ボルトの前記軸の軸線方向の締付けによって付与される回転体固定装置において、
前記締付ボルトには、該締付ボルトの締付け解除に伴って前記内外回転体のいずれか一方に干渉して、該内外回転体のいずれか一方を、前記くさび結合手段のくさび結合を解除する方向に移動させる干渉体が設けられていることを特徴とする回転体固定装置。
【請求項２】
請求項１に記載の回転体固定装置において、
前記くさび結合手段が軸と回転体の間に介設される中間回転体の内輪と外輪との嵌合面に設けられ、前記締付ボルトが前記中間回転体の内輪に設けられている前記軸線に直交する壁を通して前記軸に形成された軸線方向のねじ孔に螺合されるとともに、この締付ボルトには、該締付ボルトの締付け解除に伴って前記内輪の壁に干渉して、該内輪を前記くさび結合手段のくさび結合を解除する方向に移動させる干渉体が設けられていることを特徴とする回転体固定装置。
【請求項３】
請求項１に記載の回転体固定装置において、
前記くさび結合手段が軸に外嵌される中間回転体と該中間回転体に外嵌される回転体との嵌合面に設けられ、前記締付ボルトが前記回転体に設けられている前記軸線に直交する壁を通して該軸に形成された軸線方向のねじ孔に螺合されるとともに、この締付ボルトには、該締付ボルトの締付け解除に伴って前記回転体の壁に干渉して、該回転体を前記くさび結合手段のくさび結合を解除する方向に移動させる干渉体が設けられていることを特徴とする回転体固定装置。
【請求項４】
請求項１に記載の回転体固定装置において、
前記くさび結合手段が軸と該軸に外嵌される回転体との嵌合面に設けられ、前記締付ボルトが前記回転体に設けられている前記軸の軸線に直交する壁を通して該軸に形成された軸線方向のねじ孔に螺合されるとともに、この締付ボルトには、該締付ボルトの締付け解除に伴って前記回転体の壁に干渉して、該回転体を前記くさび結合手段のくさび結合を解除する方向に移動させる干渉体が設けられていることを特徴とする回転体固定装置。
【請求項５】
請求項１に記載の回転体固定装置において、
前記くさび結合手段が軸と回転体の間に介設される中間回転体の内輪と外輪との嵌合面に設けられ、前記締付ボルトが前記中間回転体の内輪の端部に設けられているフランジを通して前記外輪に形成された前記軸の軸線方向のねじ孔に螺合されるとともに、この締付ボルトには、該締付ボルトの締付け解除に伴って前記内輪のフランジに干渉して、該内輪を前記くさび結合手段のくさび結合を解除する方向に移動させる干渉体が設けられていることを特徴とする回転体固定装置。
【発明の詳細な説明】
【技術分野】
【０００１】
本発明は、軸に対して、歯車、プーリ、スプロケット、車輪などの回転体をキーレス構造により軸と同時回転可能に締結する回転体固定装置に関するものである。
【背景技術】
【０００２】
従来より、軸に対して、歯車、プーリ、スプロケット、車輪などの回転体をキーレス構造により軸と同時回転可能に締結する回転体固定装置として、図５に示すものが提案されている（たとえば特許文献１）。
【０００３】
この回転体固定装置は、内外回転体１のテーパ面２ａ，２ｂ同士をくさび結合させたくさび結合手段３を介して、軸４と回転体５を締結するとともに、くさび結合手段３のくさび結合力が複数本の締付ボルト６の回転軸線Ｃ方向の締付けによって付与されるように構成してある。
【０００４】
【特許文献１】特開昭６１−６２６１８号公報
【発明の開示】
【発明が解決しようとする課題】
【０００５】
前記文献に記載された回転体固定装置は、くさび結合手段３が軸４と回転体５の間に介設される内輪７Ａと外輪７Ｂとを有し、かつ、中間回転体７として機能する内外回転体１の嵌合面７ａである前記テーパ面２ａ，２ｂに設けられ、締付ボルト６が中間回転体７の内輪７Ａの端部に設けられているフランジ８の透孔８ａを通して外輪７Ｂに形成された軸４の軸線Ｃ方向に平行にのびる複数のねじ孔９に螺合されている。なお、図５において、７ｂは外輪７Ｂの欠円部、１２は内輪７Ａに設けたスリットである。
【０００６】
したがって、軸４と回転体５の間に中間回転体７を挿入して、複数本の締付ボルト６を締付けると、内外回転体１のテーパ面２ａ，２ｂ同士のテーパ嵌合作用、つまりくさび結合手段３のくさび結合作用により、内輪７Ａが軸４に、外輪７Ｂが回転体５のボス内面５ａに、また、内輪７Ａ、外輪７Ｂ相互がそれぞれ圧接するくさび結合力が発揮されて、回転体５が軸４に同時回転可能に固定される。
【０００７】
ところが、メンテナンスなどに際して、軸４から回転体５を分解するのに先立って、複数本の締付ボルト６を除去しても、前記の圧接状態が強固に保持されているので、軸４と回転体５の間から中間回転体７を脱抜することが困難である。このため、通常は、外輪７Ｂに形成されている複数のねじ孔９のピッチ間の適所に、予め、分解用のねじ孔（図示省略）を複数個形成するとともに、これら分解用のねじ孔に対応する分解用ボルト挿通孔（図示省略）を内輪７Ａのフランジ８に形成しておき、複数本の締付ボルト６を除去したのちに、前記分解用ボルト挿通孔を通して複数の分解用のねじ孔のそれぞれに分解用ボルト（図示省略）を螺合し、これら分解用ボルトを分解工具で引っ張ることによって、軸４と回転体５の間から中間回転体７を脱抜しなければならず、軸４から回転体５を分解する作業がきわめて煩雑である問題を有している。
【０００８】
本発明は、このような問題を解決するものであって、その目的とするところは、メンテナンスなどに際して、軸から回転体を容易に分解することができる回転体固定装置を提供することにある。
【課題を解決するための手段】
【０００９】
前記目的を達成するために、本発明は、内外回転体のテーパ面同士をくさび結合させたくさび結合手段を介して、軸と回転体を締結するとともに、前記くさび結合手段のくさび結合力が締付ボルトの前記軸の軸線方向の締付けによって付与される回転体固定装置において、前記締付ボルトには、該締付ボルトの締付け解除に伴って前記内外回転体のいずれか一方に干渉して、該内外回転体のいずれか一方を、前記くさび結合手段のくさび結合を解除する方向に移動させる干渉体が設けられていることを特徴とするものである。
【００１０】
これによると、締付ボルトを締付けると、内外回転体のテーパ面同士のテーパ嵌合作用、つまりくさび結合手段のくさび結合作用により、内側回転体が軸に、外側回転体が回転体に、また、内外回転体相互がそれぞれ圧接されて、回転体が軸に同時回転可能に固定される。また、メンテナンスなどに際して、締付ボルトの締付けを解除するために、該締付ボルトをねじ解き方向に回転させて後退させると、この後退に伴って干渉体が内外回転体のいずれか一方に干渉して、これをくさび結合手段のくさび結合を解除する方向に移動させることによって、軸から回転体を分解することができる。
【００１１】
また、本発明においては、前記回転体固定装置において、前記くさび結合手段が軸と回転体の間に介設される中間回転体の内輪と外輪との嵌合面に設けられ、前記締付ボルトが前記中間回転体の内輪に設けられている前記軸線に直交する壁を通して前記軸に形成された軸線方向のねじ孔に螺合されるとともに、この締付ボルトには、該締付ボルトの締付け解除に伴って前記内輪の壁に干渉して、該内輪を前記くさび結合手段のくさび結合を解除する方向に移動させる干渉体が設けられているものであってもよい。
【００１２】
これによると、締付ボルトを締付けると、中間回転体の内輪と外輪との嵌合面に設けられているくさび結合手段のくさび結合作用により、内輪が軸に、外輪が回転体に、また、内外輪相互がそれぞれ圧接されて、回転体が軸に同時回転可能に固定される。また、メンテナンスなどに際して、締付ボルトの締付けを解除するために、該締付ボルトをねじ解き方向に回転させて後退させると、この後退に伴って干渉体が内輪の壁に干渉して、内輪をくさび結合手段のくさび結合を解除する方向に移動させることによって、軸から回転体を分解することができる。
【００１３】
さらに、本発明においては、前記回転体固定装置において、前記くさび結合手段が軸に外嵌される中間回転体と該中間回転体に外嵌される回転体との嵌合面に設けられ、前記締付ボルトが前記回転体に設けられている前記軸線に直交する壁を通して該軸に形成された軸線方向のねじ孔に螺合されるとともに、この締付ボルトには、該締付ボルトの締付け解除に伴って前記回転体の壁に干渉して、該回転体を前記くさび結合手段のくさび結合を解除する方向に移動させる干渉体が設けられているものであってもよい。
【００１４】
これによると、締付ボルトを締付けると、中間回転体と回転体との嵌合面に設けられているくさび結合手段のくさび結合作用により、中間回転体が軸と回転体にそれぞれ圧接されて、回転体が軸に同時回転可能に固定される。また、メンテナンスなどに際して、締付ボルトの締付けを解除するために、該締付ボルトをねじ解き方向に回転させて後退させると、この後退に伴って干渉体が回転体の壁に干渉して、回転体をくさび結合手段のくさび結合を解除する方向に移動させることによって、軸から回転体を分解することができる。
【００１５】
また、本発明においては、前記回転体固定装置において、前記くさび結合手段が軸と該軸に外嵌される回転体との嵌合面に設けられ、前記締付ボルトが前記回転体に設けられている前記軸の軸線に直交する壁を通して該軸に形成された軸線方向のねじ孔に螺合されるとともに、この締付ボルトには、該締付ボルトの締付け解除に伴って前記回転体の壁に干渉して、該回転体を前記くさび結合手段のくさび結合を解除する方向に移動させる干渉体が設けられているものであってもよい。
【００１６】
これによると、締付ボルトを締付けると、軸と回転体との嵌合面に設けられているくさび結合手段のくさび結合作用により、回転体が軸に圧接されて、回転体が軸に同時回転可能に固定される。また、メンテナンスなどに際して、締付ボルトの締付けを解除するために、該締付ボルトをねじ解き方向に回転させて後退させると、この後退に伴って干渉体が回転体の壁に干渉して、回転体をくさび結合手段のくさび結合を解除する方向に移動させることによって、軸から回転体を分解することができる。
【００１７】
さらに、本発明においては、前記回転体固定装置において、前記くさび結合手段が軸と回転体の間に介設される中間回転体の内輪と外輪との嵌合面に設けられ、前記締付ボルトが前記中間回転体の内輪の端部に設けられているフランジを通して前記外輪に形成された前記軸の軸線方向のねじ孔に螺合されるとともに、この締付ボルトには、該締付ボルトの締付け解除に伴って前記内輪のフランジに干渉して、該内輪を前記くさび結合手段のくさび結合を解除する方向に移動させる干渉体が設けられているものであってもよい。
【００１８】
これによると、締付ボルトを締付けると、中間回転体の内輪と外輪との嵌合面に設けられているくさび結合手段のくさび結合作用により、内輪が軸に、外輪が回転体に、また、内外輪相互がそれぞれ圧接されて、回転体が軸に同時回転可能に固定される。また、メンテナンスなどに際して、締付ボルトの締付けを解除するために、該締付ボルトをねじ解き方向に回転させて後退させると、この後退に伴って干渉体が内輪のフランジに干渉して、内輪をくさび結合手段のくさび結合を解除する方向に移動させることによって、軸から回転体を分解することができる。
【発明の効果】
【００１９】
本発明によれば、回転体固定装置のメンテナンスなどに際して、締付ボルトの締付けを解除するために、該締付ボルトをねじ解き方向に回転させて後退させると、この後退に伴って干渉体が内外回転体のいずれか一方に干渉して、これをくさび結合手段のくさび結合を解除する方向に移動させることができるので、従来のように、分解用ボルトを分解用ねじ孔に螺合し、これら螺合された分解用ボルトを別途用意した分解工具で引っ張るような煩雑で困難な手間をかけることなく、きわめて容易に軸から回転体を容易に分解することができる。
【発明を実施するための最良の形態】
【００２０】
以下、本発明に係る回転体固定装置の実施形態を図面に基づいて説明する。
図１は、本発明に係る回転体固定装置の第１実施形態を示す断面図である。なお、図５に示す従来例と同一もしくは相当部分には、同一符号を付して説明する。
【００２１】
図１において、回転体固定装置は、内外回転体１のテーパ面２ａ，２ｂ同士をくさび結合させたくさび結合手段３を介して、軸４と回転体５を締結するとともに、くさび結合手段３のくさび結合力が１本の締付ボルト６の回転軸線Ｃ方向の締付けによって付与されるように構成してある。
【００２２】
くさび結合手段３は、軸４と回転体５の間に介設される内輪７Ａと外輪７Ｂとを有し、かつ、中間回転体７として機能する内外回転体１の嵌合面７ａである前記テーパ面２ａ，２ｂに設けられ、締付ボルト６が中間回転体７の内輪７Ａに設けられている軸線Ｃに直交する壁１０の透孔１０ａを通して軸４に形成された軸線Ｃ方向の一つのねじ孔９に螺合されるとともに、この締付ボルト６には、その軸部６ａにたとえばドーナツ状の干渉体１１が溶接によって取付けられている。つまり、ドーナツ状の干渉体１１は、締付ボルト６をねじ孔９に螺合する前段において、その軸部６ａを内輪７Ａの壁１０に設けた透孔１０ａに挿通した状態で該軸部６ａに対して溶接によって予め取付けられている。また、内輪７Ａのテーパ筒部には、円周方向に所定の間隔を隔てて、軸線Ｃ方向のスリット１２が形成され、外輪７Ｂは、欠円部７ｂを備えた一部開放リングによって構成されている。
【００２３】
このような構成であれば、締付ボルト６を締付けると、内輪７Ａと外輪７Ｂとの嵌合面７ａであるテーパ面２ａ，２ｂ同士のテーパ嵌合作用、つまりくさび結合手段３のくさび結合作用により、内輪７Ａが軸４に、外輪７Ｂが回転体５に、また、内外輪７Ａ，７Ｂ相互がそれぞれ圧接されて、回転体５が軸４に同時回転可能に固定される。また、メンテナンスなどに際して、締付ボルト６の締付けを解除するために、該締付ボルト６をねじ解き方向に回転させて後退させると、この後退に伴って干渉体１１が内輪７Ａの壁１０の内面に干渉して、内輪７Ａをくさび結合手段３のくさび結合を解除する方向、つまり図１の左方向に移動させることによって、軸４から回転体５を容易に分解することができる。
【００２４】
図２は、本発明に係る回転体固定装置の第２実施形態を示す断面図である。この第２実施形態が図１の第１実施形態と異なる構造は、内外回転体１が中間回転体７と回転体５によって構成され、また、くさび結合手段３が軸４に外嵌される中間回転体７と該中間回転体７に外嵌される回転体５との嵌合面７ａであるテーパ面２ａ，２ｂに設けられているとともに、締付ボルト６が回転体５の壁１０の透孔１０ａを通して軸４に形成された軸線Ｃ方向の一つのねじ孔９に螺合されている点である。したがって、図１の第１実施形態と同一もしくは相当部分には同一符号を付して、重複する構造説明は省略する。
【００２５】
このような構成であれば、締付ボルト６を締付けると、中間回転体７と回転体５との嵌合面７ａであるテーパ面２ａ，２ｂ同士のテーパ嵌合作用、つまりくさび結合手段３のくさび結合作用により、中間回転体７が軸４と回転体５にそれぞれ圧接されて、回転体５が軸４に同時回転可能に固定される。また、メンテナンスなどに際して、締付ボルト６の締付けを解除するために、該締付ボルト６をねじ解き方向に回転させて後退させると、この後退に伴って干渉体１１が回転体５の壁１０に干渉して、回転体５をくさび結合手段３のくさび結合を解除する方向、つまり図２の左方向に移動させることによって、軸４から回転体５を容易に分解することができる。
【００２６】
図３は、本発明に係る回転体固定装置の第３実施形態を示す断面図である。この第３実施形態が図２の第２実施形態と異なる構造は、内外回転体１が回転体５と軸４によって構成され、また、くさび結合手段３が軸４と該軸４に外嵌される回転体５との嵌合面７ａであるテーパ面２ａ，２ｂに設けられている点である。したがって、図２の第２実施形態と同一もしくは相当部分には同一符号を付して、重複する構造説明は省略する。
【００２７】
このような構成であれば、締付ボルト６を締付けると、軸４と回転体５との嵌合面７ａであるテーパ面２ａ，２ｂ同士のテーパ嵌合作用、つまりくさび結合手段３のくさび結合作用により、回転体５が軸４に圧接されて、回転体５が軸４に同時回転可能に固定される。また、メンテナンスなどに際して、締付ボルト６の締付けを解除するために、該締付ボルト６をねじ解き方向に回転させて後退させると、この後退に伴って干渉体１１が回転体５の壁１０に干渉して、回転体５をくさび結合手段３のくさび結合を解除する方向、つまり図３の左方向に移動させることによって、軸４から回転体５を容易に分解することができる。
【００２８】
図４は、本発明に係る回転体固定装置の第４実施形態を示す断面図である。この第４実施形態が図１の第１実施形態と異なる構造は、複数本の締付ボルト６が中間回転体７における内輪７Ａの端部に設けられているフランジ８の透孔８ａを通して外輪７Ｂに形成された軸線Ｃ方向の複数のねじ孔９に螺合されている点である。したがって、図１の第１実施形態と同一もしくは相当部分には同一符号を付して、重複する構造説明は省略する。
【００２９】
このような構成であれば、複数本の締付ボルト６を締付けると、中間回転体７における内輪７Ａと外輪７Ｂとの嵌合面７ａであるテーパ面２ａ，２ｂ同士のテーパ嵌合作用、つまりくさび結合手段３のくさび結合作用により、内輪７Ａが軸４に、外輪７Ｂが回転体５に、また、内外輪７Ａ，７Ｂ相互がそれぞれ圧接されて、回転体５が軸４に同時回転可能に固定される。また、メンテナンスなどに際して、各締付ボルト６の締付けを解除するために、これら締付ボルト６をねじ解き方向に回転させて後退させると、この後退に伴って干渉体１１が内輪７Ａのフランジ８の内面に干渉して、内輪７Ａをくさび結合手段３のくさび結合を解除する方向、つまり図４の左方向に移動させることによって、軸４から回転体５を容易に分解することができる。
【００３０】
なお、前記第４実施形態では、複数本の締付ボルト６を、中間回転体７における内輪７Ａの端部に設けられているフランジ８の透孔８ａを通して外輪７Ｂに形成された軸線Ｃ方向の複数のねじ孔９に螺合した構造で説明しているが、中間回転体７における外輪７Ｂに、軸４の軸線Ｃ方向の透孔を複数個形成し、これら透孔を通した複数本の締付ボルト６を、中間回転体７における内輪７Ａに形成した軸線Ｃ方向の複数のねじ孔に螺合した構造であってもよい。
【図面の簡単な説明】
【００３１】
【図１】本発明に係る回転体固定装置の第１実施形態を示す断面図である。
【図２】本発明に係る回転体固定装置の第２実施形態を示す断面図である。
【図３】本発明に係る回転体固定装置の第３実施形態を示す断面図である。
【図４】本発明に係る回転体固定装置の第４実施形態を示す断面図である。
【図５】回転体固定装置の従来例を示す断面図である。
【符号の説明】
【００３２】
１  内外回転体
２ａ  テーパ面
２ｂ  テーパ面
３  くさび結合手段
４  軸
５  回転体
６  締付ボルト
７  中間回転体
７ａ  嵌合面
７Ａ  内輪
７Ｂ  外輪
８  フランジ
８ａ  透孔
９  ねじ孔
１０  壁
１０ａ  透孔
ｌ１  干渉体
Ｃ  軸線
【図１】
2006207692.tif 000003
【図２】
2006207692.tif 000004
【図３】
2006207692.tif 000005
【図４】
2006207692.tif 000006
【図５】
2006207692.tif 000007